(57)【特許請求の範囲】
【請求項１】
紙から紙個体情報を取得する紙個体識別部と、
操作された位置の情報を取得する操作入力部と、
コンテンツを記憶するデータ記憶部と、
前記紙固体識別部によって取得した前記紙個体情報及び前記操作入力部によって取得した前記位置情報に対応する前記コンテンツを前記データ記憶部から取得し、前記取得したコンテンツを表示するデータ表示部と、
紙面の画像を撮像して、電子データを生成する紙面撮像部と、
前記紙面撮像部によって撮像した紙面の画像に前記コンテンツを合成する画像合成部と、を備え、
前記データ表示部は、
紙面で反射した光を検出する光センサ、画像を表示するための発光素子及び裏面から表面に光を透過する光透過領域を有する複数の画素を備える構造であり、
前記操作入力部によって取得した操作された位置の情報を前記データ表示部における紙面上の位置情報に変換し、
前記変換されたデータ表示部における位置に前記画像合成部によって合成した画像を表示することを特徴とする情報端末。
【請求項２】
前記コンテンツを管理するコンテンツサーバと接続するデータ通信部を備え、
前記データ通信部は、
コンテンツ送信要求を前記コンテンツサーバに送信し、
前記コンテンツ送信要求に係るコンテンツをコンテンツサーバから受信し、
前記受信したコンテンツを前記データ記憶部に格納することを特徴とする請求項１記載の情報端末。
【請求項３】
前記コンテンツ送信要求は、前記紙固体識別部によって取得した前記紙個体情報及び前記変換された紙面上の位置情報を含むことを特徴とする請求項２に記載の情報端末。
【請求項４】
前記データ記憶部は、前記操作入力部が前記操作された位置の情報を取得する前に、前記紙面に対応する前記コンテンツを記憶することを特徴とする請求項１に記載の情報端末。
【請求項５】
情報端末と、情報端末と接続され、コンテンツを管理するコンテンツサーバと、を備えるコンテンツ配信システムにおいて、
前記コンテンツサーバは、前記情報端末によって取得された紙固体情報及び前記情報端末に入力された位置情報を含むコンテンツ要求を前記情報端末から受信すると、受信したコンテンツ要求に対応する前記コンテンツを検索し、
前記検索されたコンテンツを前記情報端末に送信し、
前記情報端末は、
前記コンテンツサーバから取得した取得したコンテンツを表示するデータ表示部と、
紙面の画像を撮像して、電子データを生成する紙面撮像部と、
前記紙面撮像部によって撮像した紙面の画像に前記コンテンツを合成する画像合成部と、を備え、
前記データ表示部は、
紙面で反射した光を検出する光センサ、画像を表示するための発光素子及び裏面から表面に光を透過する光透過領域を有する複数の画素を備える構造であり、
前記操作入力部によって取得した位置情報を前記データ表示部における紙面上の位置情報に変換し、
前記変換されたデータ表示部における位置に前記画像合成部によって合成した画像を表示することを特徴とするコンテンツ配信システム。
【請求項６】
前記コンテンツサーバが送信するコンテンツは、複写制限情報、加工制限情報、電子データ及びリンク情報のうちの少なくとも一つであって、前記紙面上の位置情報と対応付けられているものであることを特徴とする請求項５に記載のコンテンツ配信システム。
【請求項７】
前記コンテンツサーバが送信するコンテンツは、複写制限情報を含み、前記紙面上の位置情報と対応付けられているものであって、
前記コンテンツサーバは、
紙に記載された内容の複写が許可されていると、複写課金情報及び／又は紙に記載された内容の電子データを前記コンテンツとして前記情報端末に送信し、
紙に記載された内容の複写が許可されていないと、複写不許可の通知を前記コンテンツとして前記情報端末に送信することを特徴とする請求項５に記載のコンテンツ配信システム。
【請求項８】
コンテンツを表示する情報端末と、コンテンツを管理するコンテンツサーバと、からなるコンテンツ配信システムにおけるコンテンツ配信方法であって、
前記情報端末は、
紙個体情報及び操作位置から変換された紙面上の位置情報を取得し、
前記取得された紙固体情報及び前記取得された位置情報を含むコンテンツ要求を前記コンテンツサーバに送信し、
前記コンテンツサーバは、
前記コンテンツ要求を前記情報端末から受信し、
前記受信したコンテンツ要求に対応するコンテンツを検索し、
前記検索されたコンテンツを前記情報端末に送信し、
前記情報端末は、裏面から表面に光を透過するデータ表示部と、
紙面の画像を撮像して、電子データを生成する紙面撮像部と、
前記紙面撮像部によって撮像した紙面の画像に前記コンテンツを合成する画像合成部と、を備え、
前記データ表示部は、
紙面で反射した光を検出する光センサ、画像を表示するための発光素子及び裏面から表面に光を透過する光透過領域を有する複数の画素を備える構造であり、
前記取得した操作された位置の情報を前記データ表示部における紙面上の位置情報に変換し、
前記変換されたデータ表示部における位置に前記画像合成部によって合成した画像を表示することを特徴とするコンテンツ配信方法。
【請求項９】
前記情報端末は、前記コンテンツを前記コンテンツサーバから受信すると、前記受信したコンテンツを表示することを特徴とする請求項８に記載のコンテンツ配信方法。
【請求項１０】
前記コンテンツは、複写制限情報、加工制限情報、電子データ及びリンク情報のうちの少なくとも一つであって、前記紙面上の位置情報と対応付けられているものであることを特徴とする請求項８に記載のコンテンツ配信方法。
【請求項１１】
前記コンテンツサーバが送信するコンテンツは、複写制限情報を含み、前記紙面上の位置情報と対応付けられているものであって、
前記コンテンツサーバは、
紙に記載された内容の複写が許可されていると、複写課金情報及び／又は紙に記載された内容の電子データを前記コンテンツとして前記情報端末に送信し、
紙に記載された内容の複写が許可されていないと、複写不許可の通知を前記コンテンツとして前記情報端末に送信することを特徴とする請求項８に記載のコンテンツ配信方法。
【発明の詳細な説明】
【技術分野】  本発明は、情報端末にコンテンツを配信するコンテンツ配信サービスに関し、特に、紙に記載された内容に対応するコンテンツを配信する技術に関する。
【背景技術】  電子技術が発達した今日においても、紙は便利なメディアの一つである。例えば、「目指すは印刷画質反射率の向上で疲れにくく（堀切近史、小谷卓也、日経エレクトロニクス、日経ＢＰ社、２００３年７月２１日発行、第８５２号、ｐ１１４−１２２）」には、紙の利点が記載されている。これによると、紙は、見やすい及び疲れにくい等の利点がある。
また、記事や写真などが記載された紙は、ハサミ等で切り取って、ノートに貼ることができる。更に、紙には、注釈やコメント等を記入できる。
一方、紙には、欠点もある。例えば、紙は、多くの情報量を有すると、かさ張る。また、紙は、必要な情報を素早く検索できない。更に、紙に書き込まれた注釈やコメントは、電子的に活用できない。
しかし、計算機及びネットワークが発達した今日では、電子化した紙面の画像を計算機上で管理及び活用したいといった要求が高まっている。
紙面の画像は、撮像機器で電子化できる。撮像機器は、例えば、フラットベッドスキャナ、スタンド型スキャナ又はデジタルカメラ等がある。近年、これらの撮像機器は、高機能化、低価格化及び操作性向上が進み、我々の生活に身近な存在となっている。また、身近な撮像機器には、デジタルカメラを内蔵した携帯電話がある。
しかし、一方で、撮像機器の普及によって、新たな社会的問題が生じている。社会問題は、デジタル万引きや著作権侵害のような不正複写の問題である。デジタル万引きとは、例えば、書店等において、来訪者が雑誌等の記事をデジタルカメラで撮像する行為である。著作権侵害とは、例えば、新聞社の許可なく、新聞記事を撮像して電子化し、インターネット上で公開する行為である
このような不正複写を防止する技術として、文書及び写真等を複写禁止用紙に記載する技術が知られている。この技術は、市役所が発行する証明書などで用いられている。
利用者は、複写禁止用紙に記載された内容を明瞭に見ることができる。しかし、利用者は、複写禁止用紙に記載された内容を複写機で複写できない。なぜなら、利用者が複写禁止用紙を複写機で複写すると、「禁コピー」などの複写禁止を意味する文字列又はマークが複写禁止用紙に浮かび上がる。
しかし、複写禁止用紙に内容を記載する技術では、正当な権限を有する利用者も、紙に記載された内容を複写機で複写できない。
この問題を解決する技術が、特開２００２−１６７８５号公報に記載されている。この技術は、複写を制限するだけでなく、正当な権限を有する利用者に対しては、紙に記載された内容の高品質な電子画像を提供する。
【発明の開示】
しかし、この従来技術では、利用者は、紙に記載された内容に応じたコンテンツ情報を理解しやすい形で取得できない。コンテンツ情報には、複写制限情報、複写課金情報及び付加情報等が含まれる。複写制限情報は、紙に記載された内容の複写が制限されているか否かを示す。複写課金情報は、紙に記載された内容の複写時に発生する料金を示す。付加情報は、紙に記載された内容に関連する情報を示す。
例えば、同一の紙面上に、ある人物の写真、写真の人物の説明文及び写真の人物と無関係な広告が印刷されている場合で説明する。従来技術では、利用者は、人物の写真、説明文又は広告のそれぞれのコンテンツ情報を取得できなかった。
そこで、コンテンツ情報を紙面上に印刷することも考えられるが、以下の問題点から現実的ではなかった。この問題点は、紙に記載された内容が読み辛くなる点や、複写制限情報が利用者ごとに異なる場合に対応できない点である。
一方、雑誌や広告などの紙媒体を発行している業者は、コンテンツ本体を利用者に配信できれば、紙の利便性及び可視性並びに電子媒体の多機能性を備えた情報を発信できる。
なお、コンテンツ本体とは、紙では表現できない動画及び音声や、紙面上の制限によって掲載できなかった情報等である。ここで、コンテンツとは、コンテンツ本体及びコンテンツ情報を含む。
本発明は、紙の利便性及び可視性並びに電子媒体の多機能性を備える情報端末を提供することを目的とする。
本発明の情報端末は、紙から紙個体情報を取得する紙個体識別部と、紙面上の位置情報を取得する操作入力部と、コンテンツを記憶するデータ記憶部と、前記紙固体識別部によって取得した前記紙個体情報及び前記操作入力部によって取得した前記位置情報に対応する前記コンテンツを、前記データ記憶部から取得し、前記取得したコンテンツを表示するデータ表示部と、を備え、紙に記載された内容に関連する情報を表示することを特徴とする。
本発明によると、利用者は、紙の上においた情報端末を操作することよって、コンテンツを容易に取得できる。
【図面の簡単な説明】  第１図は、本発明の第１の実施の形態のコンテンツ配信システムの概要の説明図である。
第２図は、本発明の第１の実施の形態のコンテンツ配信システムのブロック図である。
第３図は、本発明の第１の実施の形態のコンテンツサーバのブロック図である。
第４図は、本発明の第１の実施の形態のコンテンツ提供者管理部が管理するコンテンツ提供者情報の構成図である。
第５図は、本発明の第１の実施の形態のコンテンツ利用者管理部が管理するコンテンツ利用者情報の構成図である。
第６図は、本発明の第１の実施の形態の紙管理部が管理する紙情報及びコンテンツ管理部が管理するコンテンツ情報の構成図である。
第７図は、本発明の第１の実施の形態のコンテンツ利用履歴管理部が管理するコンテンツ利用履歴情報の構成図である。
第８図Ａは、本発明の第１の実施の形態の情報端末のシステム構成のブロック図である。
第８図Ｂは、本発明の第１の実施の形態の情報端末を構成するハードウェアのブロック図である。
第９図は、本発明の第１の実施の形態のオプティカルシースルーを採用した情報端末の説明図である。
第１０図は、本発明の第１の実施の形態の画像撮像表示層の構造の概略図である。
第１１図は、本発明の第１の実施の形態の画素のブロック図である。
第１２図は、本発明の第１の実施の形態の画素のＡ−Ａ’断面の構造図である。
第１３図は、本発明の第１の実施の形態の画像撮像表示層による画像撮像の説明図である。
第１４図は、本発明の第１の実施の形態の画像撮像表示層による画像撮像の説明図である。
第１５図は、本発明の第１の実施の形態の情報端末による紙の領域の取得方法及び利用方法の説明図である。
第１６図は、本発明の第１の実施の形態の情報端末の表示の説明図である。
第１７図は、本発明の第１の実施の形態のアイコンの説明図である。
第１８図は、本発明の第１の実施の形態の写真の複写が許可されている場合の情報端末１２０の表示の説明図である。
第１９図は、本発明の第１の実施の形態の写真の複写が禁止されている場合の情報端末１２０の表示の説明図である。
第２０図は、本発明の第１の実施の形態のコンテンツ情報に付加情報が含まれる場合の情報端末の表示の説明図である。
第２１図は、本発明の第１の実施の形態のコンテンツ情報に付加情報が含まれる場合の情報端末の表示の説明図である。
第２２図は、本発明の第１の実施の形態のコンテンツ配信システムのシーケンス図である。
第２３図は、本発明の第１の実施の形態のコンテンツサーバが行うコンテンツ検索処理のフローチャートである。
第２４図は、本発明の第２の実施の形態のコンテンツ配信システムのシーケンス図である。
第２５図は、本発明の第３の実施の形態のビデオシースルーを採用した情報端末の説明図である。
【発明を実施するための最良の形態】（第１の実施の形態）
第１図は、本発明の第１の実施の形態のコンテンツ配信システムの概要の説明図である。
コンテンツ配信システムは、コンテンツサーバ１００及び情報端末１２０から構成される。また、コンテンツ配信システムは、コンテンツ提供者１１０によってコンテンツが提供される。
まず、コンテンツ本体、コンテンツ情報及びコンテンツについて定義する。
コンテンツ本体は、紙に記載された内容に対応する動画、写真及び文書等の情報であり、情報端末１２０を介してコンテンツ利用者に提供される。例えば、コンテンツ本体は、紙では表現できない動画及び音声や、紙面の制限によって掲載できなかった情報等である。コンテンツ情報は、詳細は第６図で後述するが、紙面上の領域に対応する情報であり、複写制限情報、複写課金情報及び付加情報等が含まれる。コンテンツには、コンテンツ本体及びコンテンツ情報が含まれる。なお、本実施の形態において、紙とは、雑誌、カタログ及び広告紙等の紙媒体である。
コンテンツサーバ１００は、コンテンツを蓄積し、情報端末１２０にコンテンツを送信する。情報端末１２０は、コンテンツサーバ１００からコンテンツを受信し、受信したコンテンツを表示する。
次に、本実施の形態のコンテンツ配信サービスの概要について説明する。
コンテンツ提供者１１０は、コンテンツ配信サービスの開始前に、コンテンツ提供者情報（第４図で後述する。）、紙情報（第６図で後述する。）及びコンテンツ情報を、コンテンツサーバ１００に登録する。
一方、情報端末１２０は、コンテンツ利用者情報（第５図で後述する。）をコンテンツサーバ１００に登録する。
次に、コンテンツ提供者１１０は、情報端末１２０を使用するコンテンツ利用者に紙を提供する。紙には、文書、写真及び／又は図面等（内容）が記載されている。
コンテンツ利用者は、紙に記載された内容に興味を持った場合、その内容に対応するコンテンツを要求することができる。
コンテンツ利用者は、コンテンツを要求する場合、紙の上に情報端末１２０を配置する。そして、コンテンツ利用者は、情報端末１２０を使って、コンテンツを要求する領域を指定する。なお、紙に記載された内容は、コンテンツ情報が同一の範囲を一つの領域とする。
情報端末１２０は、領域が指定されると、コンテンツ要求をコンテンツサーバ１００に送信する。
コンテンツサーバ１００は、コンテンツ要求に基づいて、コンテンツを検索する。次に、コンテンツサーバ１００は、要求されたコンテンツが見つかると、そのコンテンツ情報を情報端末１２０に送信する。
情報端末１２０は、コンテンツ情報を受信すると、データ表示部に表示する。
コンテンツ利用者は、コンテンツ情報を情報端末１２０で確認する。そして、コンテンツ利用者は、コンテンツ本体の取得を希望する場合、情報端末１２０にコンテンツ本体の要求を入力する。すると、情報端末１２０は、コンテンツ本体を取得して、それを表示する。
第２図は、本発明の第１の実施の形態のコンテンツ配信システムのブロック図である。
コンテンツ配信システムは、コンテンツサーバ１００及び複数の情報端末１２０から構成される。
コンテンツサーバ１００と情報端末１２０とは、ネットワーク４００を介して接続されている。
コンテンツサーバ１００は、コンテンツを管理するもので、その詳細は第３図で後述する。情報端末１２０は、コンテンツをコンテンツサーバ１００から受信し、受信したコンテンツを表示するもので、その詳細は第８図Ａで後述する。
第３図は、本発明の第１の実施の形態のコンテンツサーバ１００のブロック図である。
コンテンツサーバ１００は、コンテンツ提供者管理部３０１、コンテンツ利用者管理部３０２、紙管理部３０３、コンテンツ管理部３０４、コンテンツ利用履歴管理部３０５及びデータ通信部３０６から構成される。
コンテンツ提供者管理部３０１は、コンテンツ提供者情報（第４図で後述する。）を管理する。コンテンツ利用者管理部３０２は、コンテンツ利用者情報（第５図で後述する。）を管理する。
紙管理部３０３は、紙情報（第６図で後述する。）を管理する。コンテンツ管理部３０４は、コンテンツ情報（第６図で後述する。）を管理する。コンテンツ利用履歴管理部３０５は、コンテンツ利用履歴情報（第７図で後述する。）を管理する。
データ通信部３０６は、情報端末１２０と接続する。つまり、データ通信部３０６は、コンテンツ要求を情報端末１２０から受信し、コンテンツを情報端末１２０へ送信する。
次に、コンテンツサーバ１００が管理する各種情報について説明する。
第４図は、本発明の第１の実施の形態のコンテンツ提供者管理部３０１が管理するコンテンツ提供者情報５００の構成図である。
コンテンツ提供者情報５００は、コンテンツ提供者ＩＤ５０１、氏名５０２、住所５０３、口座番号５０４、電子メールアドレス５０５及び収支金額５０６を含む。
コンテンツ提供者ＩＤ５０１は、コンテンツ提供者１１０を識別する一意の識別子である。氏名５０２は、コンテンツ提供者１１０の氏名である。住所５０３は、コンテンツ提供者１１０の住所である。口座番号５０４は、コンテンツ提供者１１０の口座番号であり、料金の清算に用いる。電子メールアドレス５０５は、コンテンツ提供者１１０の電子メールアドレスである。
収支金額５０６は、コンテンツ提供者１１０に対する未清算の収支金額である。例えば、コンテンツ提供者１１０の提供するコンテンツが利用されると、そのコンテンツ提供料金が当該コンテンツ提供者１１０の収支金額５０６に加算される。
第５図は、本発明の第１の実施の形態のコンテンツ利用者管理部３０２が管理するコンテンツ利用者情報６００の構成図である。
コンテンツ利用者情報６００は、コンテンツ利用者ＩＤ６０１、氏名６０２、住所６０３、口座番号６０４、電子メールアドレス６０５及び収支金額６０６を含む。
コンテンツ利用者ＩＤ６０１は、コンテンツ利用者を識別する一意の識別子である。氏名６０２は、コンテンツ利用者の氏名である。住所６０３は、コンテンツ利用者の住所である。口座番号６０４は、コンテンツ利用者の口座番号であり、料金の清算で用いる。電子メールアドレス６０５は、コンテンツ利用者の電子メールアドレスである。
収支金額６０６は、コンテンツ利用者に対する未清算の収支金額である。例えば、コンテンツ利用者がコンテンツを利用すると、そのコンテンツ利用料金が当該コンテンツ利用者の収支金額６０６から減算される。
第６図は、本発明の第１の実施の形態の紙管理部３０３が管理する紙情報７００及びコンテンツ管理部３０４が管理するコンテンツ情報７１０の構成図である。
紙情報７００は、紙ＩＤ７０１、コンテンツ提供者ＩＤ７０２、コンテンツ数７０３及びコンテンツＩＤ７０４、７０５を含む。
紙ＩＤ７０１は、紙を識別する一意の識別子である。コンテンツ提供者ＩＤ７０２は、当該紙に記載された内容に対応するコンテンツを提供するコンテンツ提供者の一意の識別子である。コンテンツ数７０３は、当該紙に記載された内容に対応するコンテンツ情報の数である。
コンテンツＩＤ７０４、７０５は、当該紙に記載された内容に対応するコンテンツを識別する一意の識別子である。なお、コンテンツＩＤ７０４、７０５は、コンテンツ数７０３と同じレコード数となる。
コンテンツ情報７１０は、コンテンツＩＤ７１１、紙ＩＤ７１２、該当領域７１３、電子ファイル名７１４、複写情報７１５、加工情報７１６、付加情報数７１７及び付加情報７１８、７１９を含む。
コンテンツＩＤ７１１は、当該コンテンツ情報７１０を識別する一意の識別子である。紙ＩＤ７１２は、当該コンテンツ情報７１０に対応する紙を識別する一意の識別子である。該当領域７１３は、当該コンテンツ情報７１０に対応する領域であり、第１５図で後述する紙面座標系で示す。
電子ファイル名７１４は、紙面上の該当領域７１３に記載された内容の電子データの名称である。
複写情報７１５は、紙面上の該当領域７１３に記載された内容の複写を許可するか否かを示す。なお、複写には、紙複写及び電子複写がある。紙複写は、紙面の撮像による複写である。電子複写は、電子ファイル名７１４の電子データの受信による複写である。また、複写情報７１５が「ＯＫ」であれば複写が許可されることを示し、複写情報７１５には複写時に発生する料金も格納される。
加工情報７１６は、紙面上の該当領域７１３に記載された内容の加工を許可するか否かを示す。加工情報７１６が「ａｐｐｒｏｖａｌ」であれば加工が許可されることを示し、情報端末１２０は、第１７図で後述する拡大アイコン９０３、回転アイコン９０４及び手書きアイコン９０５を実行できる。また、加工情報７１６が「ａｐｐｒｏｖａｌ」の場合、加工情報７１６には加工時に発生する料金も格納される。
付加情報数７１７は、紙面上の該当領域７１３に記載された内容に関連する付加情報７１８、７１９の数が格納される。
付加情報７１８、７１９は、紙面上の該当領域７１３に記載された内容に関連するリンクが格納される。付加情報７１８、７１９は、該当領域７１３に記載された内容に関連するコンテンツ本体（例えば、詳細情報、画像、又は動画等である。）へのリンクである。
第７図は、本発明の第１の実施の形態のコンテンツ利用履歴管理部３０５が管理するコンテンツ利用履歴情報８００の構成図である。
履歴情報８００は、コンテンツ利用履歴ＩＤ８０１、コンテンツ提供者８０２、コンテンツ利用者ＩＤ８０３、コンテンツＩＤ８０４、利用結果８０５及び加算済８０６を含む。
コンテンツ利用履歴ＩＤ８０１は、コンテンツ利用履歴情報８００を識別する一意の識別子である。コンテンツ提供者ＩＤ８０２は、コンテンツを提供したコンテンツ提供者１１０の識別子である。コンテンツ利用者ＩＤ８０３は、コンテンツを利用したコンテンツ利用者の識別子である。
コンテンツＩＤ８０４は、利用されたコンテンツの識別子である。利用結果８０５は、現在のコンテンツの利用状態を示す。
加算済８０６は、コンテンツ利用者情報６００の収支金額からコンテンツ利用料金を減算したか否かを示す。また、加算済８０６には、コンテンツ利用料金も格納される。
次に、情報端末１２０の構成を説明する。
第８図Ａは、本発明の第１の実施の形態の情報端末１２０のシステム構成のブロック図である。
情報端末１２０は、紙個体識別部２０１、操作入力部２０２、データ通信部２０３、データ記憶部２０４及びデータ表示部２０５から構成される。
紙固体識別部２０１は、紙から紙ＩＤを取得する。紙ＩＤは、紙面へ記載され又は紙に埋め込まれて、紙に付加される。紙面への記載は、バーコード、ドットパターン、文字列、図形又はステガノグラフィ等で表示した紙ＩＤを紙面に記載する。紙への埋め込みは、紙ＩＤを格納したＩＣタグ又は磁気テープを紙に埋め込む。
本実施の形態では、国際公開第００／７３９８３号パンフレットに記載されている従来技術を適用した場合を例として説明する。この従来技術は、６×６のドットパターンを紙に記載する。そして、情報端末１２０は、記載された６×６のドットパターンを検出することによって、紙ＩＤを取得する。このとき、情報端末１２０は、紙ＩＤだけでなく、紙面上の位置も取得する。
よって、本実施の形態の紙固体識別部２０１は、紙面に記載された紙ＩＤを検出できるように、紙に記載された内容を光学的に読み取るセンサ素子を備える。
操作入力部２０２は、コンテンツ利用者から情報を入力される。データ通信部２０３は、コンテンツ要求をコンテンツサーバ１００に送信し、コンテンツをコンテンツサーバ１００から受信する。データ記憶部２０４は、コンテンツサーバ１００から受信した情報等を記憶する。
データ表示部２０５は、データ記憶部２０４で記憶された情報を紙に重ねて表示する。これによって、コンテンツ利用者は、紙から目線をそらさずに、直感通りに操作できる。
なお、重ね表示を実現する技術には、オプティカルシースルー及びビデオシースルーがある。本実施の形態では、データ表示部２０５にオプティカルシースルーを採用した場合を例示する。
次に、情報端末１２０を実現するハードウェアについて説明する。
第８図Ｂは、本発明の第１の実施の形態の情報端末１２０を構成するハードウェアのブロック図である。
情報端末１２０は、ＣＰＵ２５１、メモリ２５２、紙固体識別装置２５３、操作入力装置２５４、データ通信装置２５５及びデータ表示装置２５６から構成される。
ＣＰＵ２５１は、メモリ２５２に記憶された各種プログラムを実行することによって、各種処理を行う。メモリ２５２は、各種プログラム及びコンテンツサーバ１００から取得したコンテンツを記憶する。
紙固体識別装置２５３は、紙固体識別部２０１を実現するハードウェアであり、紙ＩＤを取得する。操作入力装置２５４は、操作入力部２０２を実現するハードウェアであり、コンテンツ利用者から情報が入力される。データ通信装置２５５は、データ通信部２０３を実現するハードウェアであり、ネットワーク４００と接続する。データ表示装置２５６は、データ表示部２０５を実現するハードウェアであり、情報を表示する。
ＣＰＵ２５１は、メモリ２５２、紙固体識別装置２５３、操作入力装置２５４、データ通信装置２５５及びデータ表示装置２５６とバスで接続される。
次に、オプティカルシースルーを採用した情報端末１２０について説明する。
第９図は、本発明の第１の実施の形態のオプティカルシースルーを採用した情報端末１２０の説明図である。
情報端末１２０は、本体部分１５０１、画面１５０２及びスタイラス９１０から構成される。
情報端末１２０は、紙９５０の上に置いて使用される。
本体部分１５０１は、データ通信部２０３及びデータ記憶部２０４に対応し、情報端末１２０の全体を制御する。
画面１５０２は、２層の透過平面構造である。画面１５０２の上層は操作入力層１５０３であり、画面１５０２の下層は画像撮像表示層１５０４である。
操作入力層１５０３は、操作入力部２０２に対応し、スタイラス９１０の接触位置を検出する。
画像撮像表示層１５０４は、紙個体識別部２０１に対応し、紙９５０に記載された内容及び紙ＩＤを取得する。更に、画像撮像表示層１５０４は、データ表示部２０５にも対応し、情報を表示する。
次に、画像撮像表示層１５０４の構造の詳細について説明する。
第１０図は、本発明の第１の実施の形態の画像撮像表示層１５０４の構造の概略図である。
画像表示層１５０４は、透明基板１６００に画素１６０１を平面状に配置している。透明基板１６００は、例えば、対角長を約２００ｍｍ前後とし、厚さを２ｍｍ前後とする。画素１６０１は、撮像機能及び表示機能を併せ持ち、例えば、縦横長を４０μｍ前後とする。
本説明図の画像表示層１５０４は、模式的に画素１６０１を６４個備えているが、実際には、多数の画素１６０１を備える。
回路１６０２は、画素１６０１で撮像した信号を増幅する。なお、増幅された信号は、ＡＤ変換されてデジタル信号となり、データ記憶部２０４に記憶される。
次に、撮像機能及び表示機能を併せ持つ画素１６０１について説明する。
第１１図は、本発明の第１の実施の形態の画素１６０１のブロック図である。
画素１６０１は、複数のゲート線ＧＬ及びそのゲート線ＧＬとマトリクス状に交差する複数の信号線ＳＬで囲まれた部分である。画素１６０１は、光センサＳＮＲ、遮光膜Ｍ１、増幅回路ＡＭＰ、発光素子ＬＥＤ及び光透過領域ＯＰＮから構成される。
光センサＳＮＲは、例えば、多結晶シリコン膜からなる薄膜光ダイオードであり、光を検出する。遮光膜Ｍ１は、例えば、アルミニウム（Ａｌ）膜であり、光を遮る。増幅回路ＡＭＰは、例えば、多結晶シリコン（ＴＦＴ）であり、光センサＳＮＲで検出した信号を変換及び増幅する。
発行素子ＬＥＤは、例えば、有機発光ダイオードであり、画像を表示する。光透過領域ＯＰＮは、透明の領域である。
第１２図は、本発明の第１の実施の形態の画素１６００のＡ−Ａ’断面の構造図である。
画素１６００は、透明基板ＳＵＢ上に、光センサＳＮＲ、増幅回路ＡＭＰ及びスイッチＳＷ１が配置される。スイッチＳＷ１は、例えば、多結晶シリコンＴＦＴ回路であり、発光素子ＬＥＤを駆動する。
透明基盤ＳＵＢは、光透過領域ＯＰＮを除く全領域を、層間絶縁膜Ｌ１で覆われる。更に、透明基板ＳＵＢは、全領域を、層間絶縁膜Ｌ１の上から保護膜Ｌ２で覆われる。
また、画素１６００は、層間絶縁膜Ｌ１上に、遮光膜Ｍ１及び発光素子ＬＥＤが配置される。
次に、画素１６００が、透明基板ＳＵＢに密着した紙面を撮像する仕組みについて説明する。
光センサＳＮＲは、保護膜Ｌ２側から入射して紙面の表面で反射した光のみを検出する。なぜなら、遮光膜Ｍ１が、保護膜Ｌ２側から光センサＳＮＲに直接入射する光を遮断するからである。
すると、光センサＳＮＲは、検出した反射光の強弱に応じた光キャリアを発生する。次に、ゲート線ＧＬ及び信号線ＳＬに電圧を印加することによって、画像を読み取る画素１６００を選択する。選択された画素１６００の増幅回路ＡＭＰは、光センサＳＮＲで発生した光キャリアを増幅する。
同様の動作を、隣接する画素１６００で繰り返すことによって、紙面の画像の二次元情報を電気信号で読み取ることができる。
次に、画素１６００が、画像を表示する仕組みを説明する。
スイッチＳＷ１は、表示したい画像に応じて、発光素子ＬＥＤに印加する電圧を変える。発光素子ＬＥＤは、印加された電圧に応じた発光量で発光する。
次に、画像撮像表示層１５０４が画像を撮像する仕組みについて説明する。
第１３図及び第１４図は、本発明の第１の実施の形態の画像撮像表示層１５０４による画像撮像の説明図である。
本説明図において、画像表示層１５０４は、楕円模様１８００を撮像する。
本説明図の画像表示層１５０４は、模式的に、６４個の画素１６０１から構成される。
画素１６０１は、第１１図で説明したように、光センサＳＮＲ、遮光膜Ｍ１、増幅回路ＡＭＰ及び発光素子ＬＥＤから構成されている。光センサＳＮＲ及び増幅回路ＡＭＰが透明なので、画素１６０１は、遮光膜Ｍ１及び発光素子ＬＥＤを除いた領域で、光を透過する。
光センサＳＮＲは、楕円模様１８００と遮光膜Ｍ１とが重なっている部分で画像を認識する。よって、画像を認識した画素１６００の模式図は、第１４図のようになる。
第１４図に示すように、楕円模様１８００と遮光幕Ｍ１とが重なった画素１６００は、楕円模様１８００を撮像する。
次に、紙９５０の領域の取得方法及び利用方法について説明する。
第１５図は、本発明の第１の実施の形態の情報端末１２０による紙９５０の領域の取得方法及び利用方法の説明図である。
本説明図は、紙９５０の上に情報端末１２０を置いた状態を示す。
情報端末１２０は、２種類の座標系を使用する。一つは、紙９５０の左上端を原点Ｐ０＝（Ｘ０、Ｙ０）とする紙面座標系であり、もう一つは、情報端末画面左上端を原点ｐ０＝（ｘ０、ｙ０）とする情報端末座標系である。
紙面座標系は、情報端末１２０及びコンテンツサーバ１００の各種処理で使用される。例えば、紙面座標系は、コンテンツ情報７１０の該当領域７１３の座標に使用される。
情報端末座標系は、コンテンツ利用者から情報端末１２０への入力及び情報端末１２０上の情報の表示で使用される。例えば、情報端末座標系は、情報端末１２０上のスタイラス等を検知する画素２４０１の座標に使用される。
そのため、情報端末１２０は、情報端末座標系から紙面座標系への変換及び紙面座標系から情報端末系座標への変換を行う必要がある。
まず、情報端末座標ｐ＝（ｘ、ｙ）から紙面座標Ｐ＝（Ｘ、Ｙ）へ変換する変換式は、以下の式（１）となる。
Ｐ＝ｐ−（Ｐ０−ｐ０）  ∴Ｘ＝ｘ＋ｘ０−Ｘ０、Ｙ＝ｙ＋ｙ０−Ｙ０      （１）
一方、紙面座標Ｐ＝（Ｘ、Ｙ）から情報端末座標ｐ＝（ｘ、ｙ）へ変換する変換式は、以下の式（２）となる。
ｐ＝Ｐ＋（Ｐ０−ｐ０）  ∴ｘ＝Ｘ−ｘ０＋Ｘ０、ｙ＝Ｙ−ｙ０＋Ｙ０      （２）
先に述べたように、本実施の形態の情報端末１２０は、国際公開第００／７３９８３号パンフレットに記載されている従来技術を適用している。情報端末１２０は、紙ＩＤと共に紙面上の位置を検出する。よって、情報端末１２０は、紙の紙面座標を容易かつ正確に取得できる。情報端末１２０は、取得した紙の紙面座標を利用することによって、該当領域上又は該当領域周辺にコンテンツを表示できる。
なお、情報端末１２０の構成は、同出願人の先の出願であるＰＣＴ／ＪＰ２００４／００５５３９に、詳しく説明されている。
これによると、コンテンツ利用者は、紙９５０の上に情報端末１２０を置いても、情報端末１２０の透過構造の画面１５０２を通して、紙９５０に記載された内容を読むことができる。また、情報端末１２０は、コンテンツを紙面上に重ねて表示する。
次に、情報端末１２０のコンテンツの表示について具体的に説明する。
第１６図は、本発明の第１の実施の形態の情報端末１２０の表示の説明図である。
本説明図は、紙９５０の上に情報端末１２０を置いた状態を表す。紙９５０には、人物の写真９５１及び文書が記載されている。
情報端末１２０は、スタイラス９１０を検知することによって、コンテンツ利用者からの情報の入力を受け付ける。情報端末１２０は、各種アイコン９０１〜９０９を画面の端に表示する。各種アイコン９０１〜９０９の詳細は、第１７図で説明する。情報端末１２０は、スタイラス９１０を各種アイコン９０１〜９０９上で検知すると、それぞれのアイコンに対応する処理を行う。
第１７図は、本発明の第１の実施の形態のアイコンの説明図である。
本実施例の形態では、９つのアイコン９０１〜９０９が設けられる。
領域指定アイコン９０１は、対象とする領域を指定する操作を示す。コンテンツ利用者は、領域指定アイコン９０１をスタイラス９１０で選択した後、スタイラス９１０で画面１５０２上の指定したい領域を囲む。コンテンツ利用者は、この操作によって、対象とする領域を指定する。また、コンテンツ利用者が対象とする領域を囲まない場合、画面１５０２の全体を対象領域に指定したと判断する。
移動アイコン９０２は、対象領域の画像を画面内で移動する操作を示す。コンテンツ利用者は、移動アイコン９０２をスタイラス９１０で選択した後、画面１５０２上に表示されたコンテンツをスタイラス９１０でドラッグ操作する。コンテンツ利用者は、この操作によって、コンテンツを画面上の任意の場所に移動する。
拡大縮小アイコン９０３は、対象領域の画像を拡大又は縮小する操作を示す。
回転アイコン９０４は、対象領域の画像を回転する操作を示す。
手書きアイコン９０５は、コンテンツ利用者がコメントや注釈等を書き込む操作を示す。なお、情報端末１２０は、コンテンツ利用者が書き込む線のスタイルを指定するインタフェースを備えてもよい。線のスタイルとは、例えば、線の色、線幅、実線／破線などである。
拡大アイコン９０３、回転アイコン９０４及び手書きアイコン９０５は、画像を加工する操作である。よって、コンテンツ情報７１０の加工情報７１６が「ａｐｐｒｏｖａｌ」である場合に限り、コンテンツ利用者は、これらのアイコン９０３〜９０５を操作できる。
保存アイコン９０６は、対象領域のコンテンツを電子的にデータ記憶部２０４に保存する操作を示す。よって、コンテンツ情報７１０の複写情報７１５が「ＯＫ」である場合に限り、コンテンツ利用者は、保存アイコン９０６を操作できる。
なお、コンテンツを保存するファイルのファイル名は、保存時の日付及び時刻を用いて自動的に生成される。また、コンテンツを保存するファイルは、ファイル名や画像属性のラベルを指定したり、計算機のオペレーティングシステムのファイル管理で用いられるフォルダで階層的に管理されてもよい。これによって、コンテンツ利用者は、保存したコンテンツを容易に検索できる。
呼出アイコン９０７は、データ記憶部２０４に保存されたコンテンツを呼び出し画面上に表示する操作を示す。なお、コンテンツ利用者が呼出アイコン９０７をスタイラス９１０で選択すると、情報端末１２０には、データ記憶部２０４に保存されたコンテンツのプレビュー一覧が表示される。これによって、コンテンツ利用者は、目的のコンテンツを容易に検索できる。
削除アイコン９０８は、データ記憶部２０４に記憶されたコンテンツを削除する操作を示す。コンテンツ利用者は、呼出アイコン９０７を選択して、データ記憶部２０４に保存されたコンテンツのプレビュー一覧を情報端末１２０に表示させる。そして、コンテンツ利用者は、プレビュー一覧からコンテンツを指定し、削除アイコン９０８をスタイラス９１０で選択する。すると、情報端末１２０は、指定されたコンテンツをデータ記憶部２０４から削除する。
取消アイコン９０９は、直前の操作を取り消し、操作前の状態に戻す操作を示す。コンテンツ利用者が取消アイコン９０９をスタイラス９１０で複数回選択すると、情報端末１２０は、選択された回数分の操作を取り消す。なお、情報端末１２０は、取り消しアイコン９０９を実現するために、過去に行った操作をデータ記憶部２０４に記憶する。
次に、コンテンツ利用者が紙９５０に記載された写真９５１のコンテンツを取得したい場合の情報端末１２０の動作を説明する。
第１８図は、本発明の第１の実施の形態の写真９５１の複写が許可されている場合の情報端末１２０の表示の説明図である。
コンテンツ利用者は、コンテンツ領域指定アイコン９０１をスタイラス９１０で選択した後、スタイラス９１０で写真９５１の領域１１００を囲む。
コンテンツ情報７１０の複写情報７１５が「ＯＫ」の場合、情報端末１２０は、コンテンツ情報である複写条件１１０１を紙９５０に重ねて表示する。具体的には、情報端末１２０は、紙面座標系で表された該当領域７１３を情報端末座標系に変換した領域に、複写条件１１０１を表示する。
次に、コンテンツ利用者が複写条件１１０１をスタイラス９１０で選択すると、情報端末１２０は、コンテンツサーバ１００から高品質のデジタル画像を受信し、受信したデジタル画像をデータ記憶部２０４に保存する。
第１９図は、本発明の第１の実施の形態の写真９５１の複写が禁止されている場合の情報端末１２０の表示の説明図である。
コンテンツ利用者は、コンテンツ領域指定アイコン９０１をスタイラス９１０で選択した後、スタイラス９１０で写真９５１の領域１０００を囲む。
コンテンツ情報７１０の複写情報７１５が「ＮＧ」の場合、情報端末１２０は、複写禁止の表示１００１を領域１０００に重ねて表示する。具体的には、情報端末１２０は、紙面座標系で表された該当領域７１３を情報端末座標系に変換した領域に、複写禁止の表示１００１を表示する。
第２０図は、本発明の第１の実施の形態のコンテンツ情報７１０に付加情報７１８が含まれる場合の情報端末１２０の表示の説明図である。
コンテンツ利用者は、コンテンツ領域指定アイコン９０１をスタイラス９１０で選択した後、スタイラス９１０で写真９５１の領域１２００を囲む。
コンテンツ情報７１０に静止画像の付加情報７１８が含まれる場合、情報端末１２０は、第１８図で説明した複写条件１１０１又は第１９図で説明した複写禁止の表示１００１と併せて、領域１２００の付近に付加情報１２１０を表示する。具体的には、情報端末１２０は、紙面座標系で表された該当領域７１３を情報端末座標系に変換した領域の付近に、付加情報１２１０を表示する。
付加情報１２１０は、例えば、領域１２００内の写真９５１の人物に関する詳細情報１２１１である。
第２１図は、本発明の第１の実施の形態のコンテンツ情報７１０に付加情報７１９が含まれる場合の情報端末１２０の表示の説明図である。
コンテンツ利用者は、コンテンツ領域指定アイコン９０１をスタイラス９１０で選択した後、スタイラス９１０で写真９５１の領域１３００を囲む。
コンテンツ情報７１０に動画の付加情報７１９が含まれる場合、情報端末１２０は、第１８図で説明した複写条件１１０１又は第１９図で説明した複写禁止の表示１００１と併せて、領域１３００の付近に付加情報１３１０を表示する。具体的には、情報端末１２０は、紙面座標系で表された該当領域７１３を情報端末座標系に変換した領域の付近に、付加情報１３１０を表示する。
付加情報１３１０は、該当領域１３００の写真９５１の人物に関する動画情報及びその動画情報の料金１３１１である。
以上のように、情報端末１２０は、コンテンツを紙面上に重ねて表示するので、コンテンツ利用者に分かりやすい操作感を提供する。
次に、本実施の形態のコンテンツ配信システムの処理を説明する。
第２２図は、本発明の第１の実施の形態のコンテンツ配信システムのシーケンス図である。
まず、コンテンツ提供者１１０は、コンテンツ利用者に提供する紙９５０及びコンテンツを作成する（２１０１）。
次に、コンテンツ提供者は、コンテンツ提供者情報５００、紙情報７００及びコンテンツ情報７１０をコンテンツサーバ１００に送信する（２１０３）。コンテンツサーバは、これらの情報５００等を受信すると、受信した情報５００等を登録する（２１０４）。
次に、コンテンツ提供者１１０は、情報端末１２０を使用するコンテンツ利用者に紙９５０を提供する（２１０２）。なお、コンテンツ提供者１１０は、コンテンツ利用者に対して、直接的に紙９５０を提供してもよいし、問屋又は書店等を通して間接的に紙９５０を提供してもよい。
また、コンテンツ提供者１１０は、紙９５０を提供する代わりに、ＰＤＦ形式などの電子ファイルをコンテンツ利用者に配信してもよい。電子ファイルを受信したコンテンツ利用者は、プリンタ装置を用いて電子ファイルを印刷することによって、紙９５０を得ることができる。
情報端末１２０は、コンテンツ利用者によって操作されると、処理を開始する（２１０５）。具体的には、コンテンツ利用者は、紙９５０の上に情報端末１２０を置き、コンテンツを要求する領域をスタイラス９１０で囲む。
すると、情報端末１２０は、紙９５０の紙ＩＤ及びスタイラス９１０で囲まれた領域の領域情報を取得する（２１０６）。
次に、情報端末１２０は、紙ＩＤ及び領域情報を取得したか否かを判定する（２１０７）。
情報端末１２０は、紙ＩＤ及び領域情報を取得しないと、コンテンツを要求できないので、紙ＩＤ及び領域情報を取得できなかった旨をデータ表示部２０５に表示し（２１１３）、ステップ２１０５に戻る。
一方、情報端末１２０は、紙ＩＤ及び領域情報を取得すると、コンテンツ要求を作成する（２１０８）。なお、コンテンツ要求には、コンテンツ利用者ＩＤ、紙ＩＤ及び領域情報が含まれる。そして、情報端末１２０は、作成したコンテンツ要求をコンテンツサーバ１００に送信する（２１０９）。
コンテンツサーバ１００は、コンテンツ要求を受信すると、受信したコンテンツ要求から紙ＩＤ及び領域情報を抽出する。次に、コンテンツサーバ１００は、抽出した紙ＩＤと紙ＩＤ７１２とが一致し、更に、抽出した領域情報と該当領域７１３とが一部でも重なるコンテンツ情報７１０を検索する（２１１０）。なお、コンテンツサーバ１００が行うコンテンツ情報７１０の検索処理は、第２３図で詳述する。
次に、コンテンツサーバ１００は、条件を満たすコンテンツ情報７１０を発見したか否かを判定する（２１１１）。
コンテンツサーバ１００は、条件を満たすコンテンツ情報７１０を発見しないと、該当無しを情報端末１２０に通知する（２１１２）。情報端末１２０は、該当なしの通知を受けると、該当するコンテンツ情報が無い旨をデータ表示部２０５に表示し（２１１３）、ステップ２１０５に戻る。
一方、コンテンツサーバ１００は、条件を満たすコンテンツ情報７１０を発見すると、発見したコンテンツ情報７１０を情報端末１２０に送信する（２１１４）。このとき、コンテンツサーバ１００は、コンテンツ情報７１０と共に、電子ファイル７１４（コンテンツ本体）を送信してもよい。
情報端末１２０は、コンテンツ情報７１０を受信すると、受信したコンテンツ情報をデータ記憶部２０４に記憶する。次に、情報端末１２０は、データ記憶部２０４に記憶したコンテンツ情報７１０に含まれるコンテンツ利用条件をデータ表示部２０５に表示する（２１１５）。コンテンツ利用条件は、複写情報７１５、加工情報７１６及び付加情報７１８、７１９等である。
コンテンツ利用者は、情報端末１２０に表示されたコンテンツ利用条件を確認し、コンテンツ本体を要求するか否かを決める。コンテンツ利用者は、コンテンツ本体を要求する場合、情報端末１２０にコンテンツ本体の要求を入力する。
そこで、情報端末１２０は、コンテンツ利用条件を表示してから所定の時間内に、コンテンツ本体の要求が入力されたか否かを判定する（２１１６）。
情報端末１２０は、コンテンツ本体の要求が入力されないと、コンテンツ本体を取得する必要がないので、ステップ２１０５に戻る。
一方、情報端末１２０は、コンテンツ本体の要求が入力されると、コンテンツ本体をデータ表示部２０５に表示する（２１１７）。ただし、情報端末１２０は、ステップ２１１４でコンテンツ本体を受信していない場合、コンテンツ本体の要求をコンテンツサーバ１００に送信する。そして、情報端末１２０は、コンテンツサーバ１００からコンテンツ本体を受信し、受信したコンテンツ本体をデータ表示部２０５に表示する。
情報端末１２０は、コンテンツ本体を表示すると、コンテンツ利用情報をコンテンツサーバ１００に送信する（２１１８）。そして、情報端末１２０は、ステップ２１０５に戻る。コンテンツ利用情報には、コンテンツ利用者ＩＤ及びコンテンツＩＤが含まれる。
コンテンツサーバ１００は、コンテンツ利用情報を受信すると、受信したコンテンツ利用情報に基づいて、コンテンツ利用履歴情報８００を作成する（２１１９）。
以上のように、本実施の形態のコンテンツ配信システムは、紙ＩＤ及び領域情報に基づいてコンテンツを提供する。
次に、コンテンツサーバ１００のコンテンツ検索（ステップ２１１０）処理の詳細について説明する。
第２３図は、本発明の第１の実施の形態のコンテンツサーバ１００が行うコンテンツ検索処理のフローチャートである。
まず、情報端末１２０から受信したコンテンツ要求から、紙ＩＤ及び領域情報を抽出する。次に、抽出した紙ＩＤと紙情報７００に含まれる紙ＩＤ７０１とが一致する紙情報７００を検索する（２３０１）。
次に、紙ＩＤが一致する紙情報７００を発見したか否かを判定する（２３０２）。紙ＩＤが一致する紙情報７００を発見しないと、該当無しを情報端末１２０に通知する（２３０６）。
一方、紙ＩＤが一致する紙情報７００を発見すると、検索された紙情報７００のコンテンツＩＤ７０４、７０５に該当するコンテンツ情報７１０を選択する。次に、選択したコンテンツ情報７１０の中から、抽出した領域情報と該当領域７１３とが一部でも重なるコンテンツ情報７１０を検索する（２３０３）。
次に、検索条件に該当するコンテンツ情報７１０を発見したか否かを判定する（２３０４）。検索条件に該当するコンテンツ情報７１０を発見しないと、該当するコンテンツ情報７１０が無い旨を情報端末１２０に通知する（２３０６）。
一方、検索条件に該当するコンテンツ情報７１０を発見すると、検索されたコンテンツ情報を情報端末１２０に送信する（２３０５）。
その後、コンテンツサーバ１００は、以下の処理によってコンテンツ利用料金の清算処理を実行する。
コンテンツサーバ１００は、コンテンツの利用がある度に清算処理してもよいし、一定間隔で清算処理してもよい。
まず、コンテンツ利用履歴管理部３０５から、加算済８０６が「Ｆａｌｓｅ」のコンテンツ利用履歴情報８００をすべて検索する。次に、検索された各コンテンツ利用履歴情報８００の加算済８０６の金額に基づいて、コンテンツ利用料金及びコンテンツ提供料金を算出する。なお、コンテンツ利用料金及びコンテンツ提供料金は、任意の方法で算出するが、以下の式（３）を満たさなければならない。
コンテンツ利用料金＞コンテンツ提供料金・・・（３）
もし、式（３）を満たさなければ、コンテンツサーバ１００を運営するサービス業者は、利益が出ないからである。
次に、コンテンツ利用者情報６００の収支金額６０６からコンテンツ利用料金減算する。また、コンテンツ提供者情報５００の収支金額５０６にコンテンツ提供料金を加算する。
そして、所定の間隔で、コンテンツ提供者に収支金額５０６を支払う。また、コンテンツ利用者に収支金額６０６を請求する。
以上のように、コンテンツサーバ１００は、提供したコンテンツの料金を清算する。
（第２の実施の形態）
本発明の第２の実施の形態のコンテンツ配信システムは、スタンドアロンモデルを採用する。
なお、第１の実施の形態のコンテンツ配信システムは、サーバクライアントモデルを採用している。よって、第１の実施の形態の情報端末１２０は、コンテンツをコンテンツサーバ１００に問い合わせる必要があった。そこで、第２の実施の形態では、スタンドアロンモデルを採用することによって、情報端末１２０は、コンテンツサーバ１００に問い合わせることなく、コンテンツを検索できる。
第２の実施の形態の情報端末１２０は、第１の実施の形態の情報端末１２０の構成２０１〜２０４に加えて、コンテンツサーバ１００の構成３０１〜３０５も備える。
次に、本実施の形態のコンテンツ配信システムの処理について説明する
第２４図は、本発明の第２の実施の形態のコンテンツ配信システムのシーケンス図である。
第２の実施の形態のコンテンツ配信システムの処理は、２つの箇所を除き、第１の実施の形態のコンテンツ配信システムの処理と同一である。第１の実施の形態と同一の処理は、同一の番号を付し説明を省略する。
コンテンツサーバ１００は、コンテンツ登録処理（２１０４）が終わると、登録されたコンテンツ提供者情報５００、紙情報７００及びコンテンツ情報７１０を情報端末１２０に送信する（２２０１）。そして、情報端末１２０は、受信したこれらの情報５００、７００、７１０を予めデータ記憶部２０４に記憶する。そして、情報端末１２０は、ステップ２１０５に進む。
その後、情報端末１２０は、ステップ２１０８でコンテンツが要求されると、データ記憶部２０４からコンテンツ情報７１０を検索する（２２０２）。次に、情報端末１２０は、条件を満たすコンテンツ情報７１０を発見したか否かを判定する（２２０３）。
情報端末１２０は、条件を満たすコンテンツ情報７１０を発見しないと、該当するコンテンツ情報が無い旨をデータ表示部２０５に表示し（２１１３）、ステップ２１０５に戻る。
一方、情報端末１２０は、条件を満たすコンテンツ情報７１０を発見すると、受信したコンテンツ情報７１０に含まれるコンテンツ利用条件をデータ表示部２０５に表示する（２１１５）。以降のステップは、第１の実施の形態と同一である。
第２の実施の形態によると、情報端末１２０は、コンテンツサーバ１００に問い合わせることなく、コンテンツを提供できる。
しかし、第２の実施の形態のコンテンツ配信システムでは、情報端末１２０がコンテンツ利用履歴情報８００も記憶するので、料金の精算処理等の運用が不利となることが考えられる。
そこで、コンテンツ配信システムには、第１の実施の形態のサーバクライアントモデル及び第２の実施の形態のスタンドアローンモデルを統合したグローバルサーバローカルサーバモデルを採用してもよい。
この場合、情報端末１２０は、スタンドアローンモデルと同様に、第１の実施の形態の情報端末１２０の構成２０１〜２０４に加えて、コンテンツサーバ１００の構成３０１〜３０５も備える。
まず、情報端末１２０は、スタンドアロンモデルと同様に、自身の中からコンテンツ情報７１０を検索する。そして、情報端末１２０は、条件を満たすコンテンツが発見できないと、サーバークライアントモデルと同様に、コンテンツサーバ１００にコンテンツ要求を送信する。
また、グローバルサーバローカルサーバモデルでは、コンテンツサーバ１００がコンテンツ利用履歴情報などを記憶するのが好ましい。これによって、スタンドアローンモデルで問題となる運用面を解決することができる。
（第３の実施の形態）
本発明の第３の実施の形態では、情報端末１２０の表示部２５０にビデオシースルーを採用する。
第２５図は、本発明の第３の実施の形態のビデオシースルーを採用した情報端末１２０の説明図である。
ビデオシースルを採用した情報端末１２０は、本体部分１５０１及び画像撮像表示層１５０４を除いて、第１の実施の形態のオプティカルシースルを採用した情報端末１２０（第９図）と同一の構成である。第１の実施の形態と同一の構成は、同一の番号を付し説明を省略する。
本実施の形態の画像撮像表示層１５０４は、２層の透過平面構造である。画像撮像表示層１５０４の上層は画像表示層２５０２であり、画像撮像表示層１５０４の下層は画像撮像層２５０３である。
画像表示層２５０２は、情報を表示する平面ディスプレーであり、例えば、液晶ディスプレー又は有機ＥＬ等である。画像撮像層２５０３は、情報端末１２０の下に配置された紙９５０に記載された内容を撮像する。なお、画像撮像層２５０３には、第１の実施の形態の画素１６０１（第１１図）を構成する光センサＳＮＲを利用する。また、画像撮像層２５０３は、フラットベッドスキャナを紙９５０に向けて配置することによって実現してもよい。
本実施の形態の情報端末１２０の本体部分１５０１は、画像合成部を含む。画像合成部は、画像撮像層２５０３で撮像された内容とデータ記憶部２０４に記憶されたコンテンツとを合成する。
画像表示層２５０２は、画像合成部によって合成された情報を表示することによって、情報端末１２０の下部に配置した紙９５０に記載された内容とコンテンツとを擬似的に重ね合わせて表示する。
以上のように、本実施の形態の情報端末１２０は、ビデオシースルーを採用することによって、紙９５０に記載された内容とコンテンツとの重ね表示を実現する。
【産業上の利用可能性】  本発明の情報端末は、ビジネスユースからコンシューマユースの幅広い分野で利用できる。ビジネスユースでは、例えば、研究開発又は企画職の情報収集活動支援で利用される。また、コンシューマユースでは、例えば、個人での興味のある記事に関するブラウジングで利用される。
【図１】
0004560519.tif 000002
【図２】
0004560519.tif 000003
【図３】
0004560519.tif 000004
【図４】
0004560519.tif 000005
【図５】
0004560519.tif 000006
【図６】
0004560519.tif 000007
【図７】
0004560519.tif 000008
【図８Ａ】
0004560519.tif 000009
【図８Ｂ】
0004560519.tif 000010
【図９】
0004560519.tif 000011
【図１０】
0004560519.tif 000012
【図１１】
0004560519.tif 000013
【図１２】
0004560519.tif 000014
【図１３】
0004560519.tif 000015
【図１４】
0004560519.tif 000016
【図１５】
0004560519.tif 000017
【図１６】
0004560519.tif 000018
【図１７】
0004560519.tif 000019
【図１８】
0004560519.tif 000020
【図１９】
0004560519.tif 000021
【図２０】
0004560519.tif 000022
【図２１】
0004560519.tif 000023
【図２２】
0004560519.tif 000024
【図２３】
0004560519.tif 000025
【図２４】
0004560519.tif 000026
【図２５】
0004560519.tif 000027